(57)【要約】【課題】従来、この種の誘導電動機の回転子は積層電磁鋼板からなる回転子鉄心のエンドリング部を複数突起部で構成されていた。前記従来の構成では、エンドリング部の突起部だけでは、誘導電動機内の空気を循環できないため固定子及び巻線の温度上昇が高くなるという課題を有していた。【解決手段】積層電磁鋼板からなる回転子２に複数の貫通穴５を有し、貫通穴に回転子の積厚幅より大きくした円弧状の羽根片６を貫通する構造とする。貫通穴に貫通した羽根片により、誘導電動機内の空気を循環させることができ、簡易な構成で安価、かつ冷却性能を向上させる誘導電動機を提供するものである。【選択図】図１
2008099506.tif 000002
【特許請求の範囲】
【請求項１】
ベアリングを介して回転自由に保持された積層電磁鋼板からなる回転子と、前記ベアリングを保持するブラケットと、前記ブラケットにより挟み込まれた固定子を有する誘導電動機であって、前記回転子に複数の貫通穴を有し、この貫通穴に前記回転子の積厚幅より大きくした円弧状の羽根片を貫通したことを特徴とする誘導電動機。
【請求項２】
回転子の回転方向に対し板状の羽根片を２分割し円弧角度を変化させた構造とした請求項１に記載の誘導電動機。
【請求項３】
羽根片をアルミ材または鉄材により構成した請求項１に記載の誘導電動機。
【請求項４】
請求項１〜３のいずれか１項に記載の誘導電動機を用いた空気調和機。
【発明の詳細な説明】
【技術分野】
【０００１】
本発明は、誘導電動機の回転子に関するものである。
【背景技術】
【０００２】
従来、この種の誘導電動機の回転子は、図６に示すように積層電磁鋼板からなる回転子１０１のエンドリング部１０２を複数の突起部１０３で構成されていた（例えば、特許文献１参照）。
【特許文献１】特開２０００−０６００４５号公報
【発明の開示】
【発明が解決しようとする課題】
【０００３】
しかしながら、前記従来の構成では、エンドリング部１０２の複数の突起部１０３だけでは誘導電動機内の空気を循環できないため、固定子及び巻線の温度上昇が高くなるという課題を有していた。
【０００４】
本発明は、前記従来の課題を解決するもので、積層電磁鋼板からなる回転子に複数の貫通穴を有し、貫通穴に回転子の積厚幅より大きくした円弧状の羽根片を貫通し、羽根片により誘導電動機内の空気を循環させることができる。簡易な構成で安価、かつ冷却性能を向上させる誘導電動機を提供することを目的とする。
【課題を解決するための手段】
【０００５】
前記従来の課題を解決するために、本発明の誘導電動機は、ベアリングを介して回転自由に保持された積層電磁鋼板からなる回転子と、前記ベアリングを保持するブラケットと、前記ブラケットにより挟み込まれた前記固定子を有する誘導電動機であって、前記回転子に複数の貫通穴を有し、貫通穴に回転子の積厚幅より大きくした円弧状の羽根片を貫通する。また、羽根片を２分割し回転方向により円弧角度を変化させることにより、より放熱効果が向上する。
【発明の効果】
【０００６】
本発明の誘導電動機は回転子に複数の貫通穴を有し、貫通穴に回転子の積厚幅より大きくした円弧状の羽根片を貫通する構造とする。羽根片を円弧状にすることにより安価な構成により風の流れを作ることができる。複数の貫通穴と円弧状の羽根片により誘導電動機内の空気が羽根片により貫通穴を通り循環することができる。空気が循環することにより、固定子及び巻線の温度を下げることができる。また、回転方向により円弧状の角度を変化させることにより、より循環効率が高まり放熱効果が向上する。
【発明を実施するための最良の形態】
【０００７】
第１の発明は、ベアリングを介して回転自由に保持された積層電磁鋼板からなる回転子と、前記ベアリングを保持するブラケットと、ブラケットにより挟み込まれた固定子を有する誘導電動機であって、前記回転子に複数の貫通穴を有し、貫通穴に回転子の積厚幅より大きくした円弧状の羽根片を貫通する構造とする。複数の貫通穴と円弧状の羽根片により誘導電動機内の空気が羽根片により貫通穴を通り循環することができる。空気が循環することにより、固定子及び巻線の温度を下げることができる。
【０００８】
第２の発明は、羽根片を２分割し回転方向により円弧状の角度を変化させた構造とすることによりより空気の循環効率が高まり、固定子及び巻線の温度を下げることができる。
【０００９】
第３の発明は、羽根片をアルミ材、または鉄材により構成することにより容易に円弧状の形状に加工しやすく、高温状態においても経年劣化がなく信頼性も向上する。
【００１０】
上記第１〜３の発明の誘導電動機は空気調和機の室外機に使用されるのが好ましい。空気調和機の室外機は、冷房運転時熱交換器により高温となり送風ファンにより誘導電動機に高温の風があたり、誘導電動機の内部温度が上昇する。誘導電動機の回転子に複数の貫通穴を有し、貫通穴に回転子の積厚幅より大きくした円弧状の羽根片を貫通する構造とすることにより誘導電動機内の空気が羽根片により貫通穴を通り循環することができる。空気が循環することにより、固定子及び巻線の温度を下げることができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における誘導電動機の部分断面図、図２は回転子の断面図、図３は回転子の端面図を示す。
【００１３】
本実施の形態は、ベアリング１をして回転自由に保持された積層電磁鋼板からなる回転子２、前記ベアリング１を保持するブラケットＡ３、Ｂ４、前記ブラケットＡ３、Ｂ４より挟み込まれた固定子８有する誘導電動機であって、前記回転子２にΦ１０ｍｍの貫通穴５を４個有す。貫通穴５を貫通する羽根片６の大きさは高さ１３ｍｍ、厚み１ｍｍとする。また、長さ方向は回転子２の積厚幅より１０ｍｍ大きくした長さ４０ｍｍ（回転子積厚３０ｍｍの時）とする。羽根片の高さ方向を貫通穴より大きくすることにより羽根片６を貫通穴５に貫通するだけで円弧状の羽根片６が容易にできる。回転子２の回転により誘導電動機内の空気が羽根片６に当り、貫通穴５通りぬけ空気が循環される。空気が循環することにより固定子８及び巻線７の温度を下げることができる。
【００１４】
（実施の形態２）
図４は実施形態２の断面図、図５は回転子の出力側、反出力側の端面図を示す。本実施の形態は、前記実施の形態１と羽根片において相違しその他の点では実施の形態１と同様である。
【００１５】
実施の形態２の羽根片６ａ、６ｂを２分割し貫通穴５ａの空気の入り口側を回転方向に対しＵ状にし、出口方向は入り口側とは逆方向にする。羽根片６ａ、６ｂを２分割し入り口側と出口側を互い違いにすることにより、より空気の循環効率が上がり固定子８及び巻線７の温度を下げることができる。
【００１６】
（実施の形態３）
羽根片をアルミ材、または鉄材により構成することにより容易に円弧状の形状に加工しやすく、高温状態においても経年劣化がなく信頼性も向上する。
【００１７】
（実施の形態４）
上記実施の形態１〜３の誘導電動機は空気調和機の室外機に使用されるのが好ましい。空気調和機の室外機は、冷房運転時熱交換器により高温となり送風ファンにより誘導電動機に風があたり、誘導電動機の内部温度が上昇する。誘導電動機の回転子に複数の貫通穴を有し、貫通穴に回転子の積厚幅より大きくした板状の羽根片を貫通する構造とすることにより誘導電動機内の空気が羽根片により貫通穴を通り循環することができる。空気が循環することにより、固定子及び巻線の温度を下げることができる。本発明の誘導電動機を空気調和機用室外機に使用すると本発明の効果がより顕著に発現する。
【産業上の利用可能性】
【００１８】
以上のように、本発明にかかる誘導電動機は回転子に複数の貫通穴を有し、貫通穴に回転子の積厚幅より大きくした円弧状の羽根片を貫通する構造とすることにより、誘導電動機内の空気が円弧状の羽根片により貫通穴を通り循環することができる。空気が循環することにより、固定子及び巻線の温度を下げることができる。また、回転方向により円弧状の角度を変化させることにより、より循環効率が高まり放熱効果が向上するため、空気調和機の室外機のモ−タ等の用途にも適用できる。
【図面の簡単な説明】
【００１９】
【図１】本発明の実施の形態１における誘導電動機の部分断面図
【図２】本発明の実施の形態１における回転子の断面図
【図３】本発明の実施の形態１における回転子の端面図
【図４】本発明の実施の形態２における回転子の断面図
【図５】本発明の実施の形態２における出力側と反出力側の端面図
【図６】従来の誘導電動機の部分断面図
【符号の説明】
【００２０】
１  ベアリング
２  回転子
３  ブラケットＡ
４  ブラケットＢ
５  貫通穴
６  羽根片
７  巻線
８  固定子
【図１】
2008099506.tif 000003
【図２】
2008099506.tif 000004
【図３】
2008099506.tif 000005
【図４】
2008099506.tif 000006
【図５】
2008099506.tif 000007
【図６】
2008099506.tif 000008